(57)【要約】【課題】携帯型プレーヤに適した映像コンテンツを、外部のユニットに表示する際にも比較的見やすい再生映像として表示出力する。【解決手段】内蔵ＬＣＤ３に映像データを表示した時には、画面サイズ全体に動画像である映像データを表示し、映像データに重ね合わせるようにＯＳＤが表示される。一方、外部の表示装置８に映像データを表示する際には、映像データは画面サイズの一部の領域に表示し、映像データが表示されていない領域にＯＳＤを表示している。このとき、映像データのサイズは、内蔵表示部３に表示するときと、外部の表示装置７に表示するときで、同一のサイズとすることにより、外部の表示装置８に映像データを表示したときに、画像が粗い画像にならずに済み、見やすい映像とすることができる。【選択図】　　　図２
2004120713.tif 000002
【特許請求の範囲】
【請求項１】
内蔵表示部または外部の表示装置に映像データを表示する映像再生装置において、
映像データを記録する記憶手段と、この記憶手段から映像データを読み出して再生する再生手段と、再生手段から再生した映像データとともに、この映像データに関するグラフィックデータとを同時に表示よう表示データを生成、表示出力する表示制御手段とを有し、
前記表示制御手段は、前記内蔵表示装置に表示出力する場合、前記映像データに前記グラフィックデータを重ね合わせた表示データを生成し、前記外部の表示手段に表示出力する場合は、前記映像データが表示されている表示領域を避けて前記グラフィックデータを配置した表示データを生成することを特徴とする映像再生装置。
【請求項２】
前記映像データは、ＭＰＥＧ４方式で圧縮された動画像データであり、前記グラフィックデータは、メニュー画面等を表示するためのＯＳＤ（Ｏｎ　Ｓｃｒｅｅｎ　Ｄｉｓｐｌａｙ）であることを特徴とする請求項１記載の映像再生装置。
【請求項３】
内蔵表示部または外部の表示装置に映像データを表示する映像表示方法において、
記憶装置から映像データおよび、この映像データに関するグラフィックデータを用意し、
前記内蔵表示装置に表示出力する場合、前記映像データに前記グラフィックデータを重ね合わせた表示データを生成し、前記外部の表示装置に表示出力する場合は、前記映像データが表示されている表示領域を避けて前記グラフィックデータを配置して表示データを生成し、表示出力することを特徴とする映像表示方法。
【請求項４】
前記映像データは、ＭＰＥＧ４方式で圧縮された動画像データであり、前記グラフィックデータは、メニュー画面等を表示するためのＯＳＤ（Ｏｎ　Ｓｃｒｅｅｎ　Ｄｉｓｐｌａｙ）であることを特徴とする請求項３記載の映像表示方法。
【発明の詳細な説明】
【０００１】
【発明の属する技術分野】
本発明は、映像データを表示ユニットに表示する映像再生装置に関し、特に映像データを複数の表示ユニットに切換表示出力可能な映像データに関する。
【０００２】
【従来の技術】
近年、映像データを再生可能な携帯型の映像再生プレーヤがある。この映像再生プレーヤは、バッテリ駆動により動作し、映像データの記録メディアとしてフラッシユメモリカードや、小型のハードディスク装置などを用い、記録メディア内に、デジタル圧縮された映像データを格納しているものである。そして、再生した映像データをプレーヤに設けられた表示ユニットに表示することにより、外出先などでも手軽に映像を楽しむことができる。
【０００３】
映像データは具体的には、ＭＰＥＧ４方式で圧縮されたデジタルデータであり、プレーヤにて圧縮データを解凍し表示出力する。
【０００４】
携帯型の映像再生プレーヤは、携帯性を重視した製品であるため、大型の表示ユニットや、大型で大容量の記録メディアを実装することは望ましくない。そこで例えば表示ユニットとして２〜３インチサイズの表示ユニットが実装されるものが多い。
【０００５】
そこで、このような携帯型の映像再生プレーヤは、機器に内蔵されている表示ユニットに表示出力する他に、外部の表示ユニットに表示出力する機能が具備されている。
【０００６】
このような小さな表示ユニットでは当然ながら映像データも小さくなるので、外出先で利用しない場合には、家庭内にある大型の表示ユニットに表示させたほうが見やすいからである。
【特許文献１】
特開平１０−１０８１０８号公報　（図９）
【０００７】
【発明が解決しようとする課題】
しかし、携帯型の映像再生プレーヤで再生表示することを目的とした映像は、小型の表示ユニットに表示するために作成されている映像データであるため、映像の大きさも小型のサイズで作成されていることが多い。映像サイズを小さくすることにより、データ容量を削減することができ、また再生制御のための電力を削減できバッテリ駆動により長時間の再生が可能となるためである。そしてこのようなサイズの小さな映像を外部の大きな表示ユニットに表示した場合には画像が粗い表示内容になってしまう。これは、サイズの小さな映像について表示画面全体に表示させるときに拡大表示するために、粗い画像になってしまうためである。
【０００８】
したがって、本発明は携帯型プレーヤに適した映像コンテンツを、外部のユニットに表示する際にも比較的見やすい再生映像として表示出力すること表示出力方法を提供するものである。
【０００９】
【課題を解決するための手段】
本発明は、上述した課題を解決するため、内蔵表示部または外部の表示装置に映像データを表示する映像再生装置において、映像データを記録する記憶手段と、この記憶装置から映像データを読み出して再生する再生手段と、再生手段から再生した映像データとともに、この映像データに関するグラフィックデータとを同時に表示よう表示データを生成、表示出力する表示制御手段とを有し、前記表示制御手段は、前記内蔵表示装置に表示出力する場合、前記映像データに前記グラフィックデータを重ね合わせた表示データを生成し、前記外部の表示装置に表示出力する場合は、前記映像データが表示されている表示領域を避けて前記グラフィックデータを配置した表示データを生成するものである。
【００１０】
また本発明は、上述した課題を解決するため、前記映像データは、ＭＰＥＧ４方式で圧縮された動画像データであり、前記グラフィックデータは、メニュー画面等を表示するためのＯＳＤ（Ｏｎ　Ｓｃｒｅｅｎ　Ｄｉｓｐｌａｙ）であることを特徴とするものである。
【００１１】
また本発明は上述した課題を解決するため、内蔵表示部または外部の表示装置に映像データを表示する映像表示方法において、記憶装置から映像データおよび、この映像データに関するグラフィックデータを用意し、前記内蔵表示装置に表示出力する場合、前記映像データに前記グラフィックデータを重ね合わせた表示データを生成し、前記外部の表示装置に表示出力する場合は、前記映像データが表示されている表示領域を避けて前記グラフィックデータを配置して表示データを生成し、表示出力するものである。
【００１２】
また本発明は上述した課題を解決するため、前記映像データは、ＭＰＥＧ４方式で圧縮された動画像データであり、前記グラフィックデータは、メニュー画面等を表示するためのＯＳＤ（Ｏｎ　Ｓｃｒｅｅｎ　Ｄｉｓｐｌａｙ）であることを特徴とするものである。
【００１３】
【発明の実施の形態】
以下、図面を用いて、本発明の実施形態を説明する。
【００１４】
図１は、本発明の一実施例を示す映像再生装置のシステム構成を示すブロック図である。
【００１５】
図１に示すように、映像再生プレーヤ１には、映像データを格納る記録装置２が設けられている。記録装置２は例えば、フラッシュメモリカードなど、小型の記憶メディアであり、映像再生プレーヤ１１本体と着脱可能な記録メディアである。そして記録装置には、ＭＰＥＧ４方式でデジタル圧縮された映像データが格納されている。ＭＰＥＧ４方式の映像データとして、本実施形態では、縦２４０ドット、横３２０ドットの表示サイズデータとなっており、表示部３（内蔵ＬＣＤ）に表示するのに最適なサイズの表示データである。入力装置４は、映像再生プレーヤ１での各種設定、操作を行うための入力ボタン類であり、記録装置２に格納された映像データの再生指示や、再生された映像データの表示出力先を切り替える操作などを実行する。
【００１６】
ＲＯＭ５は、映像再生プレーヤ１で映像データを再生するためのアプリケーションソフトや、再生表示画面に合成されるメニュー画面などの表示データを格納したプログラムメモリであり、入力装置３からの指示などに基づいて、適宜アプリケーションプログラムや表示データが読み出される。ＣＰＵ６は、映像再生プレーヤ１全体の動作制御を司るプロセッサであり、記録装置２に格納された映像データを読み出して、ＲＯＭ５内に格納されたアプリケーションソフトを実行することにより、ＭＰＥＧ４方式で圧縮された映像データをデコードする。表示コントローラ７は、ＣＰＵ６によりデコードされた映像データを表示部３または外部の表示装置８に表示出力するための表示制御を実行するコントローラであり、入力装置４の操作指示に基づいて、表示部３または、外部の表示装置８に選択的に映像データを表示する。外部の表示装置８は、パソコン用のディスプレイユニットや、テレビの表示ユニットなどであり、内蔵の表示部３と比較して大きな表示サイズを有するものである。また、ＲＯＭ５に格納されたメニュー画面などの表示データは、ＯＳＤ（Ｏｎ　Ｓｃｒｅｅｎ　Ｄｉｓｐｌａｙ）と呼ばれ、表示部３等に表示された映像データの再生操作をするためのグラフィックデータである。
【００１７】
このようなシステム構成の映像再生プレーヤにおいて、本実施形態の映像再生プレーヤ１は、表示装置３、または外部の表示装置８に映像データおよびＯＳＤなどの倉フックデータのメニュー画面を表示する際の表示レイアウトを切り替えることを特徴としており、以下図２、図３を用いてその表示方法、および動作について説明する。
【００１８】
図２は、内蔵の表示部３または外部の表示装置８に映像データとメニュー画面（ＯＳＤ）を表示した画面レイアウトを示す図である。図２に示すように、内蔵ＬＣＤ３に映像データを表示した時には、表示画面２１のように画面サイズ全体に動画像である映像データを表示し、映像データに重ね合わせるようにＯＳＤが表示される。一方、外部の表示装置８に映像データを表示する際には、表示画面２２のように映像データは画面サイズの一部の領域に表示し、映像データが表示されていない領域にＯＳＤを表示している。このとき、映像データのサイズは、内蔵表示部３に表示するときと、外部の表示装置７に表示するときで、同一のサイズとすることにより、外部の表示装置８に映像データを表示したときに、画像が粗い画像にならずに済み、見やすい映像とすることができる。そして、このように画面サイズの小さい内蔵の表示部３と、画面サイズの大きな外部の表示装置８とで表示内容を切り替えることで、映像データを見やすい画像で表示するものである。
【００１９】
図３は、図２に示すような表示内容とするための動作を説明するためのフローチャートである。
【００２０】
まず、入力装置３により、表示出力先の設定が行われる。すなわち、映像データを内蔵の表示部３に表示するか、外部の表示装置８に表示するかが選択的に設定される（ステップＳ３１）。そして、映像データの再生の指示がなされると、ＣＰＵ６は、記録装置２に格納された映像データを読み出し、ＲＯＭ４のアプリケーションプログラムを用いてデコードするとともに、ＲＯＭ４から読み出したメニュー画面（ＯＳＤ）データを表示コントローラ７に送信する。またＣＰＵ５は表示コントローラ７に対して表示出力先の設定状態（内蔵表示部３への出力か、外部の表示装置７への出力）を送信する。表示コントローラ７は、表示出力先の設定の状態に応じて、ＣＰＵ５を介して転送された映像データと、メニュー画面データの表示データを合成して全体の表示映像を生成する。すなわち、表示出力先が内蔵の表示装置３であった場合（ステップＳ３２のＹ）には、映像データにＯＳＤを重ね合わせた表示映像を生成し（ステップＳ３３）、表示出力先が外部の表示装置８であった場合には（ステップＳ３２のＮ）、映像データを例えば、画面の左上の領域に配置し、映像データが配置された領域外にＯＳＤを表示する領域を設けた表示映像を生成する（ステップＳ３４）。
【００２１】
以上説明したように、本実施形態においては、内蔵の表示部と、外部の表示装置に選択的に映像データを表示出力するに際し、映像データと、この映像データと同時に表示されるメニュー画面などのＯＳＤの表示レイアウトを切り替えて表示することにより、各表示装置に応じた最適な映像表示をすることができるものである。
【００２２】
【発明の効果】
本発明は携帯型プレーヤに適した映像コンテンツを、外部のユニットに表示する際にも比較的見やすい再生映像として表示出力すること表示出力方法を提供するものである。
【図面の簡単な説明】
【図１】本発明の一実施形態を示す映像再生プレーヤのシステム構成を示すブロック図である。
【図２】同実施形態にて、内蔵の表示部または外部の表示装置に表示される映像データとＯＳＤの表示レイアウトを示す図。
【図３】同実施形態において、表示出力先に応じた映像表示出力を実行する動作を説明するためのフローチャートである。
【符号の説明】
１…映像再生プレーヤ、２…記録装置、３…表示部、４…入力装置、５…ＲＯＭ、６…ＣＰＵ、７…表示コントローラ、８…表示装置（外部）。
【図１】
2004120713.tif 000003
【図２】
2004120713.tif 000004
【図３】
2004120713.tif 000005